(57)【要約】【課題】スイングスピードの相対的な向上の程度を簡易な構造で使用者に認識させる器具を提供すること。【解決手段】評価器具１０はフレーム２０が取付金具１２によって用具に取付けられる。フレーム２０は、長手方向に変位可能なスライダ２２と、スライダ２２の変位に抗する弾性体４０を備えている。スライダ２２は、異なる質量の錘４４を着脱可能に保持する。用具をスイングすると、錘４４に作用する遠心力によりスライダ２２が変位して音源３８から音が生じる。軽量の錘４４に交換すると、音源から音が生じなくなる。この状態でスイングスピードが向上すると、音が出るようになる。使用者は錘の交換行為により、向上の程度を認識する。【選択図】  図４
2004201792.tif 000002
【特許請求の範囲】
【請求項１】
スイングする物品に取り付け可能なフレームと、前記フレームに対して変位可能なスライダと、前記スライダの変位に抗する弾性体と、前記スライダの一定以上の変位によって通電するスイッチと、前記スイッチの通電によって作動する告知手段と、前記スライダに着脱可能な錘とを備え、前記錘が質量の異なる複数のセットとして構成されている、スイングスピード評価器具。
【請求項２】
スイングする物品に取り付け可能なフレームと、前記フレームに対して変位可能な揺動体と、前記揺動体の変位に抗する弾性体と、前記揺動体の一定以上の変位によって通電するスイッチと、前記スイッチの通電によって作動する告知手段と、前記揺動体に着脱可能な錘とを備え、前記錘が質量の異なる複数のセットとして構成されている、スイングスピード評価器具。
【請求項３】
スイングする物品に取り付け可能なフレームと、前記フレームに対して変位可能で復元力を備えた揺動体と、前記揺動体の一定以上の変位によって通電するスイッチと、前記スイッチの通電によって作動する告知手段と、前記揺動体に着脱可能な錘とを備え、前記錘が質量の異なる複数のセットとして構成されている、スイングスピード評価器具。
【請求項４】
前記スライダ又は前記揺動体が磁石を備えており、前記錘が磁力により着脱可能である、請求項１乃至請求項３のいずれかに記載のスイングスピード評価器具。
【請求項５】
前記スライダ又は前記揺動体がスイングの回転中心側に磁石を備えており、前記スライダ又は前記揺動体が変位する方向に錘の遠心力が作用する、請求項４記載のスイングスピード評価器具。
【請求項６】
前記錘が磁石であり、磁力により着脱可能である、請求項１乃至請求項３のいずれかに記載のスイングスピード評価器具。
【発明の詳細な説明】
【０００１】
【発明の属する技術分野】
本発明は、テニス、野球、ゴルフ等のスイングを伴うスポーツにおける上達度、熟練度、向上の程度を評価するための器具に関する。より詳細には、本発明は、スイングスピードの向上の程度を簡易な構造で評価できるように構成した評価器具に関する。
【０００２】
【従来の技術】
テニス、野球、ゴルフ等のスイングを伴うスポーツにおいて、ラケット、バット、クラブ等のスイングスピードは重要な要素である。このため、スイングスピードの絶対値を数値で表示する器具や装置が開発されている。スイングは円運動であるため、円運動によって生じる遠心力を加速度センサーで検知し、スイングスピードの絶対値を数値で表示することが多い（例えば、特許文献１及び特許文献２）
【０００３】
【特許文献１】
特開平６−１６５８４５号公報、図１
【特許文献２】
特開平１０−２７２２１６号公報、図１
【０００４】
【発明が解決しようとする課題】
上記公報記載の器具は、スイングスピードの絶対値を測定することを目的としており、高価な加速度センサーや複雑な回路を必要とする。そして、表示装置等の記録を参照することで、自己のスイングスピードを認識できるように構成されている。
そこで、本発明は、加速度センサー等の高価で且つ複雑な構成要素を用いることなく、スイングスピードの絶対値ではなく、向上の程度を簡易に評価できる器具を提供することを目的としている。
【０００５】
【課題を解決するための手段】
本発明は第１に、スイングする物品に取り付け可能なフレームと、前記フレームに対して変位可能なスライダと、前記スライダの変位に抗する弾性体と、前記スライダの一定以上の変位によって通電するスイッチと、前記スイッチの通電によって作動する告知手段と、前記スライダに着脱可能な錘とを備え、前記錘が質量の異なる複数のセットとして構成されているスイングスピード評価器具を提供する。
【０００６】
本発明は第２に、スイングする物品に取り付け可能なフレームと、前記フレームに対して変位可能な揺動体と、前記揺動体の変位に抗する弾性体と、前記揺動体の一定以上の変位によって通電するスイッチと、前記スイッチの通電によって作動する告知手段と、前記揺動体に着脱可能な錘とを備え、前記錘が質量の異なる複数のセットとして構成されているスイングスピード評価器具を提供する。
【０００７】
本発明は第３に、スイングする物品に取り付け可能なフレームと、前記フレームに対して変位可能で復元力を備えた揺動体と、前記揺動体の一定以上の変位によって通電するスイッチと、前記スイッチの通電によって作動する告知手段と、前記揺動体に着脱可能な錘とを備え、前記錘が質量の異なる複数のセットとして構成されているスイングスピード評価器具を提供する。
【０００８】
使用者が、評価器具をラケット等の用具に装着してスイングすると、評価器具の錘に遠心力が作用してスライダ又は揺動体が変位する。弾性体又は復元力を備えた揺動体は、前記変位に抗する。
スライダ又は揺動体に着脱可能な錘は、質量の異なる複数のセットとして構成されている。質量の大きい錘ほど、スライダ又は揺動体に作用する遠心力が大きくなる。そこで、まず、告知手段が動作を行うであろう錘を用いてスイングをしてみる。動作が生じない場合は、少し質量の大きな錘に交換する。
ここで、告知手段とは、使用者の五感に訴える機能を持った器具であり、例えば、音によって聴覚に訴える音源や、光によって視覚に訴える光源が好適である。音源の具体的形態はブザーであり、光源の具体的形態はライトである。この中でも、ブザーが好適であり、スイングしている使用者はラケット等を視覚でとらえずとも、聴覚によって所定のスイングスピードに達していることを音によって認識することができる。
音が生じる状態から錘を順次軽量なものに交換すると、遠心力も小さくなって、弾性体又は復元力を備えた揺動体を変位させることができなくなり、音が生じない状態に達する。この状態において、スイング練習を繰り返すことにより、練習の成果として音が生じる状態にまでスイングスピードが向上する。
【０００９】
さらなる向上を目指すには、今まで使用していた錘に変えて、さらに軽量の錘が用いられる。この状態において、スイング練習を繰り返すことにより、練習の成果として音が生じる状態にまでスイングスピードが向上する。このように、本発明では、スイングスピードの絶対値を数値として測定するのではなく、錘の交換という行為により、自分自身の向上の程度を相対的な評価で知ることができるようになる。
【００１０】
スライダ又は揺動体が磁石を備えており、錘が磁力により着脱可能であることが好ましい。こうすることにより、錘の交換が容易である。
【００１１】
また、スライダ又は揺動体がスイングの回転中心側に磁石を備えており、スライダ又は揺動体が変位する方向に錘の遠心力が作用するように構成することが好ましい。こうすることにより、錘の交換が容易であることに加え、遠心力が作用する方向に磁力の吸引力が作用するので、スイングしても錘が外れるようなことがない。
【００１２】
また、磁石を利用して錘を交換可能にする実施形態の１つとして、錘自身を磁石より構成してもよい。
【００１３】
【発明の実施の形態】
以下、図面を参照して本発明によるスイングスピード評価器具の実施形態を説明する。本発明の評価器具は、テニス、野球ゴルフのスイングを伴うスポーツにおいて、バット、ラケット、クラブのような運動用具に装着される。もっとも、本発明の評価器具はスイングを伴う他のスポーツの用具に用いられてもよい。
【００１４】
図１乃至図３は、それぞれ、各スポーツの用具と、それに取り付けられる評価器具を示している。評価器具１０は、用具の中心線上に取り付けられる。それぞれの用具の形態に応じて、評価器具１０は取付手段が異なる。
図１のテニスラケットＲの場合、アルミニウム製又はプラスチック製の金具１２によって、評価器具１０がストリングの表裏に亘ってに取付けられる。評価器具１０が表（裏）に配置され、金具１２が裏（表）に配置され、ネジ等を絞めることにより、評価器具１０がテニスラケットＲに取付けられる。
図２の野球のバットＢの場合、布製テープ（いわゆる「マジックテープ（登録商標）」）１４によって、評価器具１０がバットＢに取付けられる。バットＢの円錐状部分を布製テープ１４できつく緊縛することにより、評価器具１０がバットＢに取付けられる。
図３のゴルフクラブＣの場合、布製テープ１４によって、評価器具１０がクラブＣに取付けられる。クラブＣのヘッドＨ近傍を布製テープ１４できつく緊縛することにより、評価器具１０がクラブＣに取付けられる。
【００１５】
本発明の評価器具１０を用いるにあたり重要なことは、スイングの中心から同じ距離に評価器具１０を反復して取付けることである。その理由は、評価器具１０に作用する遠心力がスイング半径の関数であるためであり、用具に印を付けて、評価器具１０の取付部位を一定にすることが重要である。
また、本発明の評価器具１０を用いるにあたり他の重要なことは、用具の中心線上、或いは、用具の中心線と平行な線上に評価器具１０を取付けることである。その理由は、評価器具１０に作用する力のうち、スイングの法線方向以外の力、すなわち、遠心力が作用する方向以外の力を可及的になくすことにある。
【００１６】
図４は、評価器具１０の一実施形態を示す断面図である。評価器具１０は、ラケットＲ等に取付可能な絶縁性材料からなる矩形又は円形の中空フレーム２０に、主要構成部品が搭載されている。フレーム２０は、主要構成部品のハウジングやケースとして機能する。このフレーム２０は、取付金具１２や布製テープ１４によって、ラケットＲ等に取付けられる。
【００１７】
フレーム２０は、中空内部を長手方向に案内されたスライダ２２を備えている。スライダ２２は、フレーム２０と中心を一致させる軸２４上に互いに離間したプレート２６，２８を備えている。プレート２６，２８は、フレーム２０の中空形状に適合した輪郭をしており、フレーム２０の内壁と僅かな隙間をもって配置される。こうすることにより、スライダ２２は、フレーム２０の中心を長手方向に直線運動しながら変位可能な構成となっている。
端部のプレート２６は導電性材料よりなり、後述する端子を通電させる機能を備えている。他方のプレート２８は、フレーム２０の端部の廂部分２０ａに当接し、スライダ２２がフレーム２０から飛び出さないようにストッパとして機能する。軸２４は、フレーム２０の廂部分２０ａの中心を外部に突出しており、突出部分において錘支持プレート３０を備えている。
【００１８】
さらに、フレーム２０内には、導電性のプレート２６に対峙する一対の端子３２，３２が絶縁性材料からなるプレート３４上に支持されている。それぞれの端子３２と電源３６と音源（ブザー）３８が直列に接続されており、導電性のプレート２６が一対の端子３２，３２に接すると、音源３８から音が生じる。
なお、告知手段として光源を用いる場合には、使用者がスイング終了後においても、一定のスピードでスイングしていたこと知るために、数秒間だけ光源が光を発するような回路を備えることが好ましい。もっとも、点滅する光を視覚でとらえることができるのであれば、このような回路は不要である。
【００１９】
フレーム２０の一部としての絶縁性材料からなる支持プレート３４と、スライダ２２の導電性のプレート２６の間には弾性体であるバネ４０が配置されている。本実施形態の評価器具１０では、バネ４０は圧縮バネである。圧縮バネ４０は、スライダ２２の変位に抗し、スライダ２２が変位しない限り、端子３２，３２が閉じないように構成されている。バネ４０の代わりに、スポンジやゴムのような弾性体を用いてもよい。
【００２０】
スライダ２２の錘支持プレート３０には、磁石４２と錘４４が取付けられる。図５は、錘支持プレート３０等の詳細を示す斜視図である。
キャップ３０は、中心から軸４６が延びている。磁石４２及び錘４４は軸４６が貫通するように錘支持プレート３０に取付けられる。錘４４の重心とフレーム２０やスライダ２２の重心が軸上で一致することにより、スライダ２２は円滑に直線運動を行う。磁石４２は、軸４６を貫通してキャップ３０に対して磁力又は接着材で固定される。錘４４は磁性体からなり、軸４６上でスライダ２２と中心を一致させながら、磁石４２によって錘支持プレート３０に保持される。
【００２１】
本発明の評価器具１０では、錘４４は、質量の異なる複数の錘のセットより構成されている。錘４４の交換を容易にするため、磁石４２を利用したり、軸４６を利用したりしている。図６及び図７は、それぞれ、本発明で用いる複数の錘のセットを例示している。
図６に示す錘は、径を一定にして厚みを異ならせた一群の錘４４ａ，４４ｂ，４４ｃ，４４ｄを示している。それぞれの錘４４ａ，４４ｂ，４４ｃ，４４ｄの厚みの差及び質量の差は一定である。
図７に示す錘は、厚みを一定にして径を異ならせた一群の錘４４ｅ，４４ｆ，４４ｇ，４４ｈを示している。それぞれの錘４４ｅ，４４ｆ，４４ｇ，４４ｈの径の差は一定であるが、質量は径の二乗に比例している。
【００２２】
図４に戻り、評価器具１０の使用方法について説明する。評価器具１０はラケットＲの中心線上に取付けられる。
錘支持プレート３０の軸４６に、例えば、質量ｍの錘４４ａを挿入する。この状態でラケットＲをスイングすると、スライダ２２には遠心力が作用する。錘４４ａによってバネ４０に圧縮力が作用するように評価器具１０が構成されているので、錘４４ａが評価器具１０から外れることがない。
【００２３】
ここで、便宜的にスライダ２２や磁石４２の質量を０とすると、スライダ２２に作用する力Ｆは、スイングの法線方向に生じ、
【数１】
2004201792.tif 000003
で示される。
この遠心力によってバネ４０は圧縮力を受けて縮み、導電性プレート２６が端子３２，３２を通電状態にする。これにより、音源３８より音が生じる。ラケットＲをスイングする者は、音により一定のスイングスピードであること、及び、質量ｍの錘４４ａでは一定の成果があることを認識する。
【００２４】
次に、錘４４ａを質量の小さい錘４４ｂに交換し、ラケットＲをスイングしてみる。錘４４を順次交換し、音が生じない錘に辿り着く。最終的に音が生じた錘によって使用者の現状のスイングスピードが認識される。その後、最終的に音が生じた錘の次に軽量の錘を装着し、ラケットＲ等のスイング練習を行う。練習によって、スイングスピードが上がると、遠心力が大きくなり、評価器具１０が音を発するようになる。この段階に達すると、さらに軽量の錘を装着し、ラケットＲ等のスイング練習を行う。錘を交換する行為によって、使用者は、スイングスピードが向上していることを認識することができる。
【００２５】
ここで、質量０．００５（ｋｇ）でスピードＶ（ｍ／ｓｅｃ）のスイングの遠心力でバネが圧縮されて音が生じる状態から、スイングスピードが５％向上して音が生じる状態になる質量は、
【数２】
2004201792.tif 000004
【数３】
2004201792.tif 000005
で表される。
数２及び数３で示したように、例えば、５％刻みのように、段階的なスイングスピードの向上の程度に適合させて錘の質量を変えることが好ましい。錘の変更だけで向上の程度を認識するよりも、定量的に向上の程度を認識するように仕向けることで、継続的に練習を行う意識が生じる。以上の説明では、５％のスイングスピードの向上を例示して使用方法を説明したが、２％や３％のスイングスピードの向上の程度に適合させて錘の質量を変えることもできる。
【００２６】
図８は、評価器具の他の実施形態を示す断面図である。本実施形態の評価器具５０は、主として、テニスのラケットＲのフレーム部分に装着することを意図して設計されている。また、前記実施形態では、バネが遠心力に抗する弾性体として機能しているが、本実施形態では片持ちの板バネが、スライダと弾性体の両方の機能を併せ持っている。
【００２７】
評価器具５０は、ラケットＲのフレーム部分Ｆに沿って取付可能な導電性フレーム５２に主要構成部品が搭載されている。フレーム５２は、例えば、取付金具５４によってラケットＲのフレーム部分に取付けられる。
【００２８】
フレーム５２の一端には、内接するように、絶縁体５６を介して屈曲した板バネ５８が片持ち支持されている。板バネ５８は、揺動体として他端が自由に変位できるように構成されている。フレーム５２は、板バネ５８の他端に対峙する端子６０を備えている。フレーム５２、板バネ５８、電源６２、音源６４が閉回路を構成するように、それぞれが直列に接続されている。したがって、板バネ５８が変位して端子６０に接すると、音源６２から音が生じる。
或いは、板バネ５８の代わりに、単に、揺動するレバーを設け、フレーム５２とレバーの間にバネやスポンジ等の弾性体を介在させてもよい。
【００２９】
板バネ５８の他端には、端子６０に向う面と反対側の面に錘６６が取付けられる。図５のように、錘６６を板バネ５８に取付けるのに磁石や突起を利用してもよく、或いは、錘６６自身を磁石より構成し、錘６６を磁力で板バネ５８に取付けるように構成してもよい。ラケットＲのスイング時、錘６６が板バネ５８を押す方向に遠心力が作用するので、錘６６が外れるようなこともない。
【００３０】
この実施形態においても、錘６６は質量の異なる複数の錘より構成されている。数１から理解できるように、錘６６を交換することにより、板バネ５８に作用する遠心力が異なるため、錘を順次軽量なものに交換することにより、音が生じにくくなる。向上の度に軽量の錘に交換することにより、スイングスピードの向上の程度を認識できるようになる。
【００３１】
以上の実施形態は、特定構造の評価器具を例示して説明されているが、図４及び図８に記載される実施形態を部分的に改変して評価器具を構成することができる。
【００３２】
【発明の効果】
本発明による評価器具は、以上詳述したように、遠心力が錘の関数であることを利用し、それまでの技量に対して相対的な向上の程度が錘の交換行為により使用者が認識できるように構成されている。しかも、スイングスピードの絶対値を測定するのはないので、従来のように効果な器具を搭載することもなく、複数の錘を準備するだけで、使用者は向上の程度を知ることができる。
【図面の簡単な説明】
【図１】テニスラケットへの評価器具の取付例を示す正面図。
【図２】野球のバットへの評価器具の取付例を示す正面図。
【図３】ゴルフクラブへの評価器具の取付例を示す正面図。
【図４】本発明による評価器具の一実施形態を示す断面図。
【図５】図４の評価器具の錘支持プレートを拡大した斜視図。
【図６】質量の異なる錘のセットを示す斜視図。
【図７】質量の異なる錘の他のセットを示す斜視図。
【図８】本発明による評価器具の他の実施形態を示す断面図。
【符号の説明】
１０，５０  評価器具
２０，５２  フレーム
２２  スライダ
２６  導電性プレート
３０  錘支持プレート
３２，６０  端子
３６，６２  電池
３８，６４  音源（告知手段）
４０  バネ
４２  磁石
４４，６６  錘
５８  板バネ（揺動体）
【図１】
2004201792.tif 000006
【図２】
2004201792.tif 000007
【図３】
2004201792.tif 000008
【図４】
2004201792.tif 000009
【図５】
2004201792.tif 000010
【図６】
2004201792.tif 000011
【図７】
2004201792.tif 000012
【図８】
2004201792.tif 000013